(57)【特許請求の範囲】
【請求項１】
裏面シートと透液性の表面シートとの間に吸収体が介在した吸収性物品であって、
前記吸収体は、前記吸収性物品の前側から後側に亘って配設され着用者の排血口に対応する領域に開口を有する基材用吸収体と、個装状態において、前記開口に嵌合され前記基材用吸収体とほぼ同等の高さに形成された中高用吸収体とからなり、
装着時に幅方向外側から内側方向に向かう圧縮力を受けた際、前記開口の両側壁間の間隔が狭まり、前記開口両側の前記基材用吸収体が前記中高用吸収体の下側に入り込むことにより、前記中高用吸収体が肌当接面側に向けて突出可能となっており、
前記基材用吸収体及び開口の下側には不織布からなる親水性シートが配設され、この親水性シートが、前記開口の幅方向中央部のみにおいて長手方向に沿って前記中高用吸収体側に接合され、装着時に前記中高用吸収体が肌当接面側に向けて移動することにより前記親水性シートが前記中高用吸収体とともに引き上げられるように構成されていることを特徴とする吸収性物品。
【請求項２】
前記圧縮力を受けた際の前記基材用吸収体と中高用吸収体との摺動面となる、少なくとも前記開口内の両側壁部及び／又は前記中高用吸収体の両側面部にそれぞれ、摩擦抵抗を低下させる低摩擦化処理が施されている請求項１記載の吸収性物品。
【請求項３】
前記開口は、前記吸収性物品の長手方向両端部側に向けて漸次開口幅が小さくなるように形成されている請求項１〜２いずれかに記載の吸収性物品。
【請求項４】
前記開口の側面は、肌当接面側に向けて開口面積が大きくなるように傾斜している請求項１〜３いずれかに記載の吸収性物品。
【請求項５】
前記基材用吸収体の肌当接面側であって前記開口又はその近傍から前記吸収性物品の後側の範囲に対し、体液拡散性シートが配設されている請求項１〜４いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、詳しくは個装状態では吸収体の中高部を有さず、装着時に中高部が形成されるようにした吸収性物品に関する。
【背景技術】
【０００２】
従来より、生理用ナプキン、パンティライナー、失禁パッドなどの吸収性物品として、ポリエチレンシートまたはポリエチレンラミネートシート不織布などの不透液性裏面シートと、不織布または透液性プラスチックシートなどの透液性表面シートとの間に綿状パルプ等からなる吸収体を介在したものが知られている。
【０００３】
この種の吸収性物品においては、身体の表面との密着度を高めるため、吸収性物品の幅方向中央部に使用面側に高い吸収体の中高部を有するものが提案されている。
【０００４】
例えば、下記特許文献１では、吸収体が上部吸収層と下部吸収層とからなり、該下部吸収層は、その幅方向中央部に開口部を有し、上部吸収層は、吸収性物品の幅方向において、前記開口部の両側に跨っている吸収性物品が開示されている。また、下記特許文献２では、吸収体のサイド部のそれぞれを吸収体の幅方向中心側に、厚さ方向における非肌当接面側に折り返すことにより、サイド部がコア部よりも厚さ方向における高さが高くなり、コア部と裏面シートとの間に空間部が形成された吸収性物品が開示されている。
【０００５】
このような中高部を有する吸収性物品では、吸収性物品の装着時に大腿部からの内側方向に向かう圧縮力を受けることによって、中高部が肌当接面側に隆起するように変形し、この隆起部が排血口付近に密着することにより経血等が吸収できるようになっている。
【先行技術文献】
【特許文献】
【０００６】
【特許文献１】特開２００６−１１５９９６号公報
【特許文献２】特開２００８−１２５９１８号公報
【発明の概要】
【発明が解決しようとする課題】
【０００７】
しかしながら、肌当接面側に高い吸収体の中高部を形成した吸収性物品では、個装時に吸収性物品を長手方向に折り畳む折り線が中高部にかかる場合、中高部において外面側と内面側の周径差が部分的に大きくなるため折りジワがきつく形成される結果、装着時に大腿部からの圧縮力を受けても、中高部が効果的に隆起せず、身体とのフィット性が低下して漏れが発生するなど中高部の機能が損なわれるおそれがあった。
【０００８】
また、上記特許文献１、２記載の吸収性物品では、吸収性物品を長手方向に折り畳んだ個装状態において、中高部などの吸収体が積層された部分が嵩張るため、個装の厚みが厚くなり、携帯性が悪いという問題があった。
【０００９】
そこで本発明の主たる課題は、装着時に身体にフィットして漏れ防止を図るという中高部の機能を低下させないとともに、個装状態でのコンパクト化を可能にした吸収性物品を提供することにある。
【課題を解決するための手段】
【００１０】
上記課題を解決するために請求項１に係る本発明として、裏面シートと透液性の表面シートとの間に吸収体が介在した吸収性物品であって、
前記吸収体は、前記吸収性物品の前側から後側に亘って配設され着用者の排血口に対応する領域に開口を有する基材用吸収体と、個装状態において、前記開口に嵌合され前記基材用吸収体とほぼ同等の高さに形成された中高用吸収体とからなり、
装着時に幅方向外側から内側方向に向かう圧縮力を受けた際、前記開口の両側壁間の間隔が狭まり、前記開口両側の前記基材用吸収体が前記中高用吸収体の下側に入り込むことにより、前記中高用吸収体が肌当接面側に向けて突出可能となっており、
前記基材用吸収体及び開口の下側には不織布からなる親水性シートが配設され、この親水性シートが、前記開口の幅方向中央部のみにおいて長手方向に沿って前記中高用吸収体側に接合され、装着時に前記中高用吸収体が肌当接面側に向けて移動することにより前記親水性シートが前記中高用吸収体とともに引き上げられるように構成されていることを特徴とする吸収性物品が提供される。
【００１１】
上記請求項１記載の発明では、前記吸収体として、吸収性物品の前側から後側に亘って配設され着用者の排血口に対応する領域に開口を有する基材用吸収体と、個装状態において、前記開口に嵌合され前記基材用吸収体とほぼ同等の高さに形成された中高用吸収体とからなるものが使用されている。そして、装着時に幅方向外側から内側方向に向かう圧縮力を受けた際、前記開口の両側壁間の間隔が狭まり、前記中高用吸収体を押し退けるようにして前記開口両側の前記基材用吸収体が前記中高用吸収体の下側に入り込むことにより、前記中高用吸収体が肌当接面側に向けて突出可能とされている。このように本発明に係る吸収性物品では、個装状態では使用面側に高い吸収体の中高部が形成されず、装着時に幅方向外側からの圧縮力を受けることによって基材用吸収体の開口に嵌合された中高用吸収体が肌当接面側に移動して中高部が形成されるようになっているため、個装状態において吸収性物品を長手方向に折り畳んでも中高部の折りジワがきつくなるようなことがなく、従って装着時に中高部の隆起が制限されフィット性が低下し漏れが生じるなどの中高部としての機能が低下する問題が防止できる。
【００１２】
また、個装状態では吸収体の中高部が形成されないため、個装がコンパクトになり、携帯性に優れるようになる。
【００１３】
また、上記請求項１記載の発明では、前記基材用吸収体及び開口の下側に不織布からなる親水性シートを配設し、この親水性シートが、前記開口の幅方向中央部のみにおいて長手方向に沿って前記中高用吸収体側に接合されることにより、装着時に中高用吸収体が肌当接面側に向けて移動したとき、中高用吸収体に吸収された体液が前記親水性シートを通じて基材用吸収体に移行しやすくしている。
【００１４】
請求項２に係る本発明として、前記圧縮力を受けた際の前記基材用吸収体と中高用吸収体との摺動面となる、少なくとも前記開口内の両側壁部及び／又は前記中高用吸収体の両側面部にそれぞれ、摩擦抵抗を低下させる低摩擦化処理が施されている請求項１記載の吸収性物品が提供される。
【００１５】
上記請求項２記載の発明では、前記圧縮力を受けた際の前記基材用吸収体と中高用吸収体との摺動面となる、少なくとも前記開口内の両側壁部及び／又は前記中高用吸収体の両側面部にそれぞれ、摩擦抵抗を低下させる低摩擦化処理を施すことによって、装着時に幅方向外側から内側方向に向かう圧縮力を受けた際、開口近傍の基材用吸収体が中高用吸収体の下側にスムーズに入り込むため、中高用吸収体が肌当接面側に向けて移動しやすくなる。
【００１６】
請求項３に係る本発明として、前記開口は、前記吸収性物品の長手方向両端部側に向けて漸次開口幅が小さくなるように形成されている請求項１〜２いずれかに記載の吸収性物品が提供される。
【００１７】
上記請求項３記載の発明は、前記開口の平面形状について規定したものであり、吸収性物品の長手方向両端部側に向けて漸次開口幅が小さくなるような形状で形成したものである。これにより、装着時に幅方向外側から内側方向に向かう圧縮力を受けた際、開口の両側壁間の間隔が狭まりやすくなる。
【００１８】
請求項４に係る本発明として、前記開口の側面は、肌当接面側に向けて開口面積が大きくなるように傾斜している請求項１〜３いずれかに記載の吸収性物品が提供される。
【００１９】
上記請求項４記載の発明は、前記開口の断面形状について規定したものであり、開口の側面を、肌当接面側に向けて開口面積が大きくなるように傾斜させるようにしたものである。これにより、装着時に幅方向外側から内側方向に向かう圧縮力を受けた際、開口近傍の基材用吸収体が中高用吸収体の下側に入り込みやすくなり、中高用吸収体の肌当接面側に向けた移動がスムーズに行われるようになる。
【００２０】
請求項５に係る本発明として、前記基材用吸収体の肌当接面側であって前記開口又はその近傍から前記吸収性物品の後側の範囲に対し、体液拡散性シートが配設されている請求項１〜４いずれかに記載の吸収性物品が提供される。
【００２１】
上記請求項５記載の発明では、基材用吸収体の肌当接面側であって前記開口又はその近傍から前記吸収性物品の後側の範囲に対し、体液拡散性シートを配設することにより、中高用吸収体に吸収された体液の後方への拡散が促進され、中高用吸収体での体液吸収効果が低下しないようにすることができる。
【発明の効果】
【００２２】
以上詳説のとおり本発明によれば、装着時に身体にフィットして漏れ防止を図るという中高部の機能を低下させないとともに、個装状態でのコンパクト化を可能にした吸収性物品が提供できるようになる。
【図面の簡単な説明】
【００２３】
【図１】本発明に係る生理用ナプキン１の平面図である。
【図２】そのII−II線矢視図である。
【図３】図１のIII−III線矢視図である。
【図４】吸収体４の断面図である。
【図５】(A)、(B)は装着時の変形過程を示す吸収体４の断面図である。
【図６】開口２２の平面形状を示す基材用吸収体２０の平面図である。
【図７】他の形態例（その１）を示す、(A)は吸収体４の平面図、(B)は断面図である。
【図８】他の形態例（その２）を示す、(A)は吸収体４の平面図、(B)は断面図である。
【図９】他の形態例（その３）を示す生理用ナプキン１の平面図である。
【図１０】他の形態例（その４）を示す吸収体４の断面図である。
【発明を実施するための形態】
【００２４】
以下、本発明の実施の形態について図面を参照しながら詳述する。
【００２５】
〔生理用ナプキン１の基本構造〕
本発明に係る生理用ナプキン１は、図１〜図３に示されるように、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、前記吸収体４の略側縁部を起立基端とし、かつ少なくとも体液排出部を含むように前後方向に所定の区間内において表面側に突出する左右一対の立体ギャザーＢＳ、ＢＳを形成する立体ギャザー形成用不織布６、６と、この立体ギャザー形成用不織布６、６の所定位置からそれぞれ生理用ナプキン１の側縁まで延在するサイド不織布７、７とから主に構成され、かつ前記吸収体４の周囲においては、その上下端縁部では前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合され、これら不透液性裏面シート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２６】
以下、さらに前記生理用ナプキン１の構造について詳述すると、
前記不透液性裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記吸収体４が介在する本体部分の不透液性裏面シート２の非使用面側（外面）には１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２７】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性表面シート３に多数の透孔を形成した場合には、経血やおりもの等（以下、まとめて体液という。）が速やかに吸収されるようになり、ドライタッチ性に優れたものとなる。
【００２８】
一方、前記透液性表面シート３の幅寸法は、図示例では、図２の横断面図に示されるように、吸収体４の幅よりも若干長めとされ、吸収体４を覆うだけに止まり、前記立体ギャザーＢＳは前記透液性表面シート３とは別の立体ギャザー形成用不織布６、具体的には経血やおりもの等が浸透するのを防止する、あるいは肌触り感を高めるなどの目的に応じて、適宜の撥水処理または親水処理を施した不織布素材を用いて構成されている。かかる体ギャザー形成用不織布６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。なお、立体ギャザーＢＳは、立体ギャザー形成用不織布６を配設せず、前記サイド不織布７を内側に連続させて形成してもよい。
【００２９】
前記サイド不織布７は、前記立体ギャザー形成用不織布６と同様の素材を用いることができ、図２に示されるように、幅方向中間部より外側部分を吸収体４の内側位置から吸収体側縁を若干越えて不透液性裏面シート２の外縁までの範囲に亘ってホットメルトなどの接着剤によって接着し、これら前記サイド不織布７と不透液性裏面シート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している（図１参照）。これらウイング状フラップＷ、Ｗおよび第２ウイング状フラップＷＢ、ＷＢの外面側（不透液性裏面シート２側）にはそれぞれ粘着剤層（図示せず）を備え、ショーツに対する装着時に、前記ウイング状フラップＷ、Ｗを折返し線ＲＬ位置にて反対側に折り返し、ショーツのクロッチ部分に巻き付けて止着するとともに、前記第２ウイング状フラップＷＢ、ＷＢをショーツの内面に止着するようになっている。
【００３０】
〔吸収体４について〕
本生理用ナプキン１では、図１及び図４に示されるように、前記吸収体４は、生理用ナプキン１の前側から後側に亘って配設され着用者の排血口Ｈに対応する領域に開口２２を有する基材用吸収体２０と、個装状態において、前記開口２２に嵌合され前記基材用吸収体２０とほぼ同等の高さに形成された中高用吸収体２１とから構成されている。
【００３１】
前記基材用吸収体２０としては、体液を吸収・保持し得るものであれば良いが、パルプ繊維中に吸水性ポリマー粉末を混入したものが吸収機能及び価格の点から好適に使用される。前記基材用吸収体２０の製造方法は、エアスルー吸収体、エアレイド吸収体とすることができる。また、トウ繊維（繊維束）や積繊パルプに化学繊維を混合したものであってもよい。前記トウ繊維としては、例えば、多糖類又はその誘導体（セルロース、セルロースエステル、キチン、キトサンなど）、合成高分子（ポリエチレン、ポリプロピレン、ポリアミド、ポリエステル、ポリラクタアミド、ポリビニルアセテートなど）などを用いることができるが、特に、セルロースエステルおよびセルロースが好ましい。前記化学繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などの合成繊維を使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記パルプ繊維は、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３２】
前記中高用吸収体２１としては、機能的に透液性表面シート３の上面に排出された体液を速やかに吸収するけれども、吸収した体液を内部に保留せずに基材用吸収体２０に浸透させる機能を備えている必要があるところ、浸透性を向上させるためにパルプ繊維中に化学繊維を混合したもの、エアスルー吸収体やエアレイド吸収体又はトウ繊維からなるものが好適に使用される。前記中高用吸収体２１に化学繊維を混合することにより体液吸収状態時でも萎むことなく嵩を保持しクッション性を維持できるようになる。前記中高用吸収体２１には、嵩高となり身体へのフィット性を向上させるため、トウ繊維（繊維束）やポリエチレンテレフタレートやポリブチレンテレフタレート等のポリエステル系繊維を混合することが好ましい。
【００３３】
なお、前記基材用吸収体２０は化学繊維を含有することを要件とせず、パルプ繊維単独、或いはパルプ繊維と高吸水性樹脂との混合体とすることができる。前記基材用吸収体２０は透過性が重視されず、前記中高用吸収体２１から浸透した体液を内部に保留し外部に滲み出さないように保持することが望ましいため化学繊維を含有しないようにする方がむしろ望ましい。
【００３４】
前記基材用吸収体２０及び中高用吸収体２１はそれぞれ、形状保持および拡散性向上のために被包シート２３、２４によって囲繞されている。前記被包シート２３、２４としては、クレープ紙、親水性の不織布などを用いることができる。前記中高用吸収体２１の被包シート２４は、図３に示されるように、開口２２のナプキン長手方向長さより長く形成され、この開口２２より長手方向に延在した部分を基材用吸収体２０側に接合することが好ましい。なお、図２及び図３に示される例では、基材用吸収体２０を囲繞する被包シート２３は、開口２２において切除され、その縁部同士が接合されている。
【００３５】
それぞれ被包シート２３、２４によって囲繞された前記基材用吸収体２０及び中高用吸収体２１は、生理用ナプキン１の幅方向中心部に長手方向に沿って塗布されたホットメルトなどの接着剤によって接合されている。
【００３６】
前記吸収体４は、図５に示されるように、装着時に幅方向外側から内側方向に向かう圧縮力Ｆを受けた際、前記開口２２内の両側壁２２ａ、２２ａの間隔が狭まり。開口２２両側の基材用吸収体２０が中高用吸収体２１を肌当接面側に押し退けるようにして中高用吸収体２１の下側に入り込むことにより、中高用吸収体２１が肌当接面側（透液性表面シート３側）に向けて突出可能に構成されている。
【００３７】
このように、本生理用ナプキン１では、個装状態では使用面側に高い吸収体の中高部が形成されず、装着時に所定の圧縮力Ｆを受けることによって基材用吸収体２０の開口２２に嵌合された中高用吸収体２１が肌当接面側に移動して中高部が形成されるようになっているため、個装状態において生理用ナプキン１を長手方向に折り畳んでも中高部の折りジワがきつくなるようなことがなく、従って装着時に中高部の隆起が制限されフィット性が低下して漏れが生じるなどの中高部としての機能が低下する問題が防止できる。また、個装状態において中高部が形成されないため、個装がコンパクトになり、携帯性に優れるようになる。
【００３８】
更に、本生理用ナプキン１では、前記圧縮力Ｆを受けた際の基材用吸収体２０と中高用吸収体２１との摺動面となる、少なくとも開口２２内の幅方向両側壁部２２ａ、２２ａ及び／又は前記中高用吸収体２１の両側面部２１ａ、２１ａにそれぞれ、摩擦抵抗を低下させる低摩擦シート２５を配設することが好ましい。この低摩擦シート２５を配設することにより、装着時に幅方向外側から内側に向かう圧縮力Ｆを受けた際、開口２２近傍の基材用吸収体２０が中高用吸収体２１の下側にスムーズに入り込むため、中高用吸収体２１が肌当接面側に向けて移動する一連の動作がスムーズに行われるようになる。
【００３９】
前記基材用吸収体２０に配設される低摩擦シート２５は、図１に示されるように、生理用ナプキン１の幅方向に対して、前記開口２２内の幅方向両側壁部２２ａ、２２ａから基材用吸収体２０の肌当接面側に延在して開口２２より外側の範囲まで配設することが好ましい。また、図１に示されるように、中高用吸収体２１を囲繞する被包シート２３が開口２２よりナプキン長手方向に延在して配設される場合、前記低摩擦シート２５は、それぞれこの延在部分にも配設することが好ましい。
【００４０】
前記低摩擦シート２５は、摩擦抵抗の低いラミネート不織布又はフィルムなどを用いることができる。前記ラミネート不織布又はフィルムには滑剤を塗布することにより、さらに低摩擦化を図ることができる。前記滑剤としては、シリコン樹脂或いは、四フッ化エチレン樹脂、三フッ化塩化エチレン樹脂、六フッ化エチレンプロピレン樹脂に代表されるフッ素系樹脂、或いはパラフィンワックス等の鉱物系ワックス、ポリエチレンワックス等の合成ワックス、動物性又は植物性のワックス類などを好適に使用することができる。
【００４１】
さらに別の態様としては、前記基材用吸収体２０の被包シート２３及び中高用吸収体２１の被包シート２４を不織布で構成した場合、少なくとも開口２２内の幅方向両側壁部２２ａ、２２ａ及び中高用吸収体２１の両側面部２１ａ、２１ａに対してそれぞれ、低摩擦化加工処理を施すことにより滑り性を与えることもできる。前記低摩擦化加工処理は、不織布表面に圧力を加えることにより不織布表面に毛羽立つ繊維を不織布表面に寝かせるように押さえ付ける方法で行う。不織布表面に圧力を加える方法としては、不織布をローラーの間に挟み込んで表裏両面から圧力を加える方法が挙げられる。また、板等の二つの面で不織布を挟む等により行うこともできる。また、これらの加圧時に熱を加えるようにしてもよい。この低摩擦化加工処理により、不織布表面は毛羽立ちが押さえられて滑らかとなり摩擦係数が小さくなる。なお、低摩擦化加工処理としては毛羽立った繊維をカットして滑らかにする方法であってもよい。前記低摩擦化加工処理により不織布表面の摩擦抵抗としては、摩擦係数の平均偏差（MMD値）において、MD(Machine Direction)は0.01〜0.50、CD(Cross Direction)は0.01〜0.70であることが望ましい。
【００４２】
一方、前記基材用吸収体２０及び開口２２の下側には親水性シート２６を配設することが好ましい。前記親水性シート２６としては、エアスルーなどの嵩高に形成された不織布、体液の拡散性を向上させるためパルプ繊維中に化学繊維を混合したものが好適に使用される。また前記親水性シート２６には、トウ繊維（繊維束）やポリエチレンテレフタレートやポリブチレンテレフタレート等のポリエステル系繊維を混合することができるし、トウ繊維のみで構成することもできる。前記トウ繊維としては、例えば、多糖類又はその誘導体（セルロース、セルロースエステル、キチン、キトサンなど）、合成高分子（ポリエチレン、ポリプロピレン、ポリアミド、ポリエステル、ポリラクタアミド、ポリビニルアセテートなど）などを用いることができるが、特に、セルロースエステルおよびセルロースが好ましい。
【００４３】
前記化学繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などの合成繊維を使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記化学繊維は、体液に対する親和性を有するように、疎水性繊維の場合には親水化剤によって表面処理したものを用いるのが望ましい。
【００４４】
この親水性シート２６は、前記基材用吸収体２０の開口２２において前記中高用吸収体２１側に接合されている。このため、装着時に中高用吸収体２１が肌当接面側に向けて移動するのとともに親水性シート２６が引き上げられるため、この親水性シート２６を通じて中高用吸収体２１に吸収された体液が基材用吸収体２０に移行され易くなる。
【００４５】
前記開口２２は、図６に示されるように、生理用ナプキン１の平面視で、生理用ナプキン１の長手方向両端部側に向けて漸次開口幅が小さくなるように形成することが好ましい。これにより、装着時に幅方向外側から内側方向に向かう圧縮力Ｆを受けた際、開口２２の両側壁間が前側から後側に亘って均等に狭まりやすくなる。具体的な平面形状は、同図６に示されるように、(A)生理用ナプキン１の長手方向両端に頂点を有するように配向された六角形状、(B)生理用ナプキン１の長手方向に長い楕円形状、(C)生理用ナプキン１の長手方向に長い菱形形状、(C)前記六角形状の両側壁を内側に凸（図示例）又は外側に凸に湾曲又は屈曲させた形状などとすることができる。
【００４６】
また、前記開口２２の断面形状は、図２及び図３に示されるように、側面が肌当接面側に向けて開口面積が大きくなるように傾斜して形成することが好ましい。これにより、開口２２の側壁が下側（非肌当接面側）が突出したクサビ状に形成されるため、装着時に幅方向外側から内側方向に向かう圧縮力Ｆを受けた際、開口２２近傍の基材用吸収体２０が中高用吸収体２１の下側に入り込みやすくなり、中高用吸収体２１の肌当接面側に向けた移動がスムーズに行われるようになる。
【００４７】
前記開口２２は、図１に示されるように、生理用ナプキン１の長手方向長さＬが９０mm以上、幅方向長さＢが基材用吸収体２０の幅方向長さＭに対して２５％以上、５０％以下（０．２５Ｍ≦Ｂ≦０．５Ｍ）であることが望ましい。長手方向長さＬが９０mmより小さいと中高用吸収体２１によって排血口部をカバーできず、また幅方向長さＢが０．２５Ｍより小さいと中高吸収体２１として十分な幅が確保できず、Ｂが０．５Ｍより大きいと装着時に基材用吸収体２０が圧縮変形したとき中高用吸収体２１の下側中央部まで入り込めなくなるためである。
【００４８】
前記中高用吸収体２１は、少なくとも一部が前記開口２２に嵌合するように形成されている。即ち前記中高用吸収体２１は、前記開口２２の大きさ以下に形成し、その全部が開口２２に嵌合可能とされたものであっても、開口２２のナプキン幅方向長さＢ以下の幅を有し且つ開口２２のナプキン長手方向長さＬより長い帯状に形成し、その一部が前記開口２２に嵌合可能とされたものであってもよい。前者の全部が開口２２に嵌合可能とされた中高用吸収体２１としては、開口２２が形成されていない１枚の基材用吸収体２０から開口２２の部分を切り取った際の切り取り片を利用することができる。
【００４９】
前記中高用吸収体２１に対しては、基材用吸収体２０の肌当接面側であって、前記開口２２又はその近傍から生理用ナプキン１の後側の範囲に対し、体液拡散性シート２７を配設することができる。
【００５０】
例えば、図７では、中高用吸収体２１の下側から開口２２の後側の範囲に対し、帯状の体液拡散性シート２７が配設されている。開口２２より後側に延在する部分は、生理用ナプキン１の幅方向中央部に長手方向に沿って隙間が開けられていることが好ましい。この隙間を設けることにより、後方部分の幅方向中央部が肌面側に隆起する変形を妨げることがなくなる。
【００５１】
また、図８では、中高用吸収体２１を囲繞する被包シート２３と基材用吸収体２０との間であって、開口２２の後端部近傍から生理用ナプキン１の後側の範囲に対し、体液拡散性シート２７が配設されている。
【００５２】
前記体液拡散性シート２７を配設することにより、中高用吸収体２１に吸収された体液の後方への拡散が促進され、中高用吸収体２１の体液吸収限界による体液吸収の効果の低下が防止できる。前記体液拡散性シート２７としては、体液吸収性を有し且つ拡散性に優れるトウ繊維からなるものが好適に使用できる。
【００５３】
次に、吸収体４の製造手順について説明すると、前記前記開口２２が形成された基材用吸収体２０及び中高用吸収体２１をそれぞれ、被包シート２３、２４によって囲繞した後、必要に応じて基材用吸収体２０の肌当接面側を覆う被包シート２３の外面であって少なくとも前記開口２２内の両側壁部に対し低摩擦化処理を施すとともに、必要に応じて中高用吸収体２１を囲繞する被包シート２４の両側面部に低摩擦化処理を施す。その後、基材用吸収体２０の肌当接面側を覆う被包シート２３の外面であって少なくとも開口２２の幅方向中央部に長手方向に沿って線状又は帯状にホットメルト等の接着剤を塗布し、その上面から中高用吸収体２１を接合させるとともに、前記中高用吸収体２１を前記開口２２に嵌合させ、吸収体４が製造される。
【００５４】
〔他の形態例〕
(1)上記形態例では、中高用吸収体２１を囲繞する被包シート２４が開口２２よりナプキン長手方向に延在して設けられていたが、図９に示されるように、中高用吸収体２１及び被包シート２４を開口２２とほぼ同形状に形成し、個装状態で中高用吸収体２１及び被包シート２４の全部が開口２２に嵌合するようにしてもよい。
【００５５】
(2)上記形態例では、前記親水性シート２６は、基材用吸収体２０を囲繞する被包シート２３の外面側に配設されていたが、図１０に示されるように、基材用吸収体２０と被包シート２３との間に配設してもよい。この場合、基材用吸収体２０は親水性シート２６とともに被包シート２３によって囲繞され、開口２２において、肌当接面側の被包シート２３と親水性シート２６とが接合されている。
【符号の説明】
【００５６】
１…生理用ナプキン、２…不透液性裏面シート、３…透液性表面シート、４…吸収体、６…立体ギャザー形成用不織布、７…サイド不織布、２０…基材用吸収体、２１…中高用吸収体、２２…開口、２３・２４…被包シート、２５…低摩擦シート、２６…親水性シート
【図１】
0005780757.tif 000002
【図２】
0005780757.tif 000003
【図３】
0005780757.tif 000004
【図４】
0005780757.tif 000005
【図５】
0005780757.tif 000006
【図６】
0005780757.tif 000007
【図７】
0005780757.tif 000008
【図８】
0005780757.tif 000009
【図９】
0005780757.tif 000010
【図１０】
0005780757.tif 000011